(57)【要約】【課題】本発明は、局地化を促進することができる無線通信ネットワークを提供することを目的とする。【解決手段】基地局は、無線通信ネットワークの無線通信ネットワークセルを制御するように構成されており、そして、ユーザ機器に向かう方向を決定するために、ユーザ位置の粗位置と関連する粗位置情報を用いるように構成されている。基地局は、位置決め信号をユーザ機器に送信するように構成されているとともに、位置決め信号をユーザ機器に送信することを指示するように構成されている。位置決め信号は、ユーザ機器と関連する良好位置情報を決定することを可能にするために適応される。【選択図】図３
2020508020.tif 000002
【特許請求の範囲】
【請求項１】
無線通信ネットワーク（９００）の無線通信ネットワークセル（１００）を制御するように構成された基地局（ｅＮＢ）であって、
前記基地局（ｅＮＢ）は、ユーザ機器（ＵＥ）に向かう方向を決定するために、前記ユーザ機器（ＵＥ）の粗位置と関連する粗位置情報（１２３）を用いるように構成されており、
前記基地局（ｅＮＢ）は、位置決め信号（１２４）を前記ユーザ機器（ＵＥ）に送信するとともに、前記ユーザ機器（ＵＥ）に向かう前記位置決め信号（１２４）の送信を指示するように構成されており、
前記位置決め信号は、前記ユーザ機器（ＵＥ）と関連する良好位置情報（１２５）を決定するために適応されることを特徴とする、基地局。
【請求項２】
前記位置決め信号は、前記位置決め信号（１２４）と関連するデータ、前記位置決め信号（１２４）の受信状態のパラメータを指し示す前記データに基づく前記良好位置情報（１２５）を決定するために適応されることを特徴とする、請求項１に記載の基地局。
【請求項３】
前記基地局（ｅＮＢ）は、前記ユーザ装置（ＵＥ）からの応答信号（１２６）を受信するように構成されており、前記応答信号（１２６）は、前記位置決め信号（１２４）と関連するデータと、を備えるとともに、前記位置決め信号（１２４）の受信状態のパラメータを指し示し、
前記基地局（ｅＮＢ）は、前記良好位置情報（１２５）を決定するための計算をするために、前記シーケンスの前記受信状態のパラメータを提供するように構成されていることを特徴とする、請求項１、または、請求項２のうちのいずれか１つに記載の基地局。
【請求項４】
前記基地局（ｅＮＢ）は、前記制御装置と、を備えることを特徴とする、請求項３に記載の基地局。
【請求項５】
前記受信状態のパラメータは、到着時間、到着時間差、および到来方向のうちのいずれか少なくとも１つと関連していることを特徴とする、請求項２ないし請求項４のうちのいずれか１つに記載の基地局。
【請求項６】
前記基地局（ｅＮＢ）は、ビームフォーミング技術を用いている前記位置決め信号（１２４）の送信を指示するように構成されていることを特徴とする、請求項１ないし請求項５のうちのいずれか１つに記載の基地局。
【請求項７】
前記基地局（ｅＮＢ）は、前記無線通信ネットワークセル（１００）の共有チャンネル（ＰＤＳＣＨ）の中の前記位置決め信号（１２４）を送信するように構成されていることを特徴とする、請求項１ないし請求項６のうちのいずれか１つに記載の基地局。
【請求項８】
前記基地局（ｅＮＢ）は、前記ユーザ機器（ＵＥ）から受信した信号に基づいて、到来方向を決定するように構成されており、前記基地局（ｅＮＢ）は、前記到来方向に基づく前記粗位置情報（１２３）を決定するように構成されていることを特徴とする、請求項１ないし請求項７のうちのいずれか１つに記載の基地局。
【請求項９】
前記基地局（ｅＮＢ）は、無線通信ネットワークのロケーション・サーバ、あるいは、さらなる基地局（ｅＮＢ）からの前記粗位置情報（１２３）を受信するように構成されていることを特徴とする、請求項１ないし請求項８のうちのいずれか１つに記載の基地局。
【請求項１０】
前記基地局（ｅＮＢ）は、位置情報と、を備えた前記ユーザ機器（ＵＥ）から信号を受信するように構成されており、前記基地局（ｅＮＢ）は、前記粗位置情報（１２３）としての前記受信された位置情報を用いるように構成されていることを特徴とする、請求項１ないし請求項９のうちのいずれか１つに記載の基地局。
【請求項１１】
前記ユーザ機器（ＵＥ）は、第１の前記ユーザ機器（ＵＥ１）であり、前記基地局（ｅＮＢ）は、第２の前記ユーザ機器（ＵＥ２）に向かう方向、あるいは、前記位置決め信号（１２４）の前記方向から、さらなる基地局（ｅＮＢ）に向かう前記方向を除外するように構成されていることを特徴とする、請求項１ないし請求項１０のうちのいずれか１つに記載の基地局。
【請求項１２】
前記基地局（ｅＮＢ）は、前記ユーザ機器（ＵＥ）から応答信号（１２６）を受信するように構成され、前記応答信号（１２６）は、前記位置決め信号（１２４）と関連するデータと、を備えているとともに、前記位置決め信号（１２４）の受信状態のパラメータを示しており、かつ、前記受信状態のパラメータを用いる前記良好位置情報（１２５）を決定し、前記基地局は、その後に続くステップで、前記ユーザ機器（ＵＥ）の位置を繰り返し決定するように構成されており、前記基地局（ｅＮＢ）は、第１のステップに続く第２のステップで、前記良好位置情報（１２３）としての第１のステップで決定された前記ユーザ機器（ＵＥ）の前記良好位置情報（１２５）を用いるように構成されていることを特徴とする、請求項１ないし請求項１１のうちのいずれか１つに記載の基地局。
【請求項１３】
前記基地局（ｅＮＢ）は、ビームフォーミング技術を用いている前記位置決め信号（１２４）を指示するように構成されており、前記基地局（ｅＮＢ）は、第１のステップで用いられる第１のビームの幅と比較して、前記第２のステップで用いられる第２のビームの幅を減少させるように構成されていることを特徴とする、請求項１２に記載の基地局。
【請求項１４】
前記良好位置決め情報（１２５）は、少なくとも５％による粗位置決め情報と比較したときに、より正確であることを特徴とする、請求項１ないし請求項１３のうちのいずれか１つに記載の基地局。
【請求項１５】
前記ユーザ機器（ＵＥ）に向けて、前記位置決め信号（１２４）の送信を指示し、前記基地局（ｅＮＢ）は、前記基地局（ｅＮＢ）と前記ユーザ機器（ＵＥ）との間の、少なくとも、第１の経路の第１の到来方向、および第２の経路の第２の到来方向と関連する情報を得るとともに、前記第１の方向、および前記第２の方向に沿って前記位置決め信号を送信するように構成されていることを特徴とする、請求項１ないし請求項１４のうちのいずれか１つに記載の基地局。
【請求項１６】
前記基地局（ｅＮＢ）は、前記ユーザ機器（ＵＥ）から制御情報を受信するとともに、第１の送信パターンを実施するように、前記制御情報に反応する前記ユーザ機器（ＵＥ）に向けて前記位置決め信号（１２４）の送信を指示するように構成されており、前記基地局（ｅＮＢ）は、前記制御情報がない場合には、第２の送信パターンで前記位置決め信号（１２４）を送信するように構成されていることを特徴とする、請求項１ないし請求項１５のうちのいずれか１つに記載の基地局。
【請求項１７】
前記ユーザ機器（ＵＥ）は、前記無線通信ネットワークのさらなる基地局（ｅＮＢ）と関連し、前記基地局（ｅＮＢ）は、前記無線通信ネットワークのロケーション・サーバ、または、前記さらなる基地局（ｅＮＢ）から前記粗位置情報（１２３）を受信するように構成されていることを特徴とする、請求項１ないし請求項１６のうちのいずれか１つに記載の基地局。
【請求項１８】
前記ユーザ機器（ＵＥ）は、第１のユーザ機器（ＵＥ1）であり、前記位置決め信号（１２４）は、第１の位置決め信号（１２４4-1）であり、前記基地局（ｅＮＢ）は、位置決め信号のための複数のあらかじめ定められたシーケンスの最初のシーケンスと、を備えるようにするために、第１の位置決め信号（１２４4-1）を送信するように構成されており、前記基地局（ｅＮＢ）は、前記第１のユーザ機器（ＵＥ1）の方向に第２の位置決め信号（１２４4-2）を送信しない間に、第２のユーザ機器（ＵＥ2）の方向に前記複数のあらかじめ定められたシーケンスの第２のシーケンスと、を備えた前記第２の位置決め信号（１２４4-2）を送信するように構成されていることを特徴とする、請求項１ないし請求項１７のうちのいずれか１つに記載の基地局。
【請求項１９】
前記シーケンスは、位置決め関連信号と、を備えている、または、位置決め関連信号であることを特徴とする、請求項１ないし請求項１８のうちのいずれか１つに記載の基地局。
【請求項２０】
前記無線通信ネットワーク（９００）は、ＬＴＥネットワークであることを特徴とする、請求項１ないし請求項１９のうちのいずれか１つに記載の基地局。
【請求項２１】
前記基地局は、前記ユーザ機器（ＵＥ）と前記基地局との間の視界経路線を決定するように構成され、前記基地局は、非視界経路線の方向を除いて、前記視界経路線の方向に沿って、前記位置決め信号（１２４4-1）を送信するように構成されていることを特徴とする、請求項１ないし請求項２０のうちのいずれか１つに記載の基地局。
【請求項２２】
無線通信ネットワーク（９００）であって、
請求項１ないし請求項２１のうちのいずれか１つに記載の第１の基地局（ｅＮＢ4）と、
請求項１ないし請求項２１のうちのいずれか１つに記載の第２の基地局（ｅＮＢ2、ｅＮＢ3、ｅＮＢ5）と、
ユーザ機器（ＵＥ）と、
を備え、
前記第１の基地局（ｅＮＢ4）は、第１の位置決め信号（１２４4-1、１２４4-2）を送信するように構成され、
前記第２の基地局（ｅＮＢ2、ｅＮＢ3、ｅＮＢ5）は、第２の位置決め信号（１２４2、１２４3、１２４5）を送信するように構成され、
前記第１の基地局（ｅＮＢ4）、および前記第２の基地局（ｅＮＢ2、ｅＮＢ3、ｅＮＢ5）は、前記第１、および前記第２の位置決め信号の送信のためにビームフォーミング技術を協調的に用いることを特徴とする無線通信ネットワーク。
【請求項２３】
前記第１の基地局（ｅＮＢ4）は、前記ユーザ機器（ＵＥ1）の方向の位置決め信号のための複数のあらかじめ定められたシーケンスの第１のシーケンスと、を備えるために、前記第１の位置決め信号（１２４4-1）を送信するように構成され、前記第２の基地局（ｅＮＢ2、ｅＮＢ3、ｅＮＢ5）は、前記ユーザ機器（ＵＥ1）の方向の前記第２のシーケンスと、を備えるために、前記第２の位置決め信号（１２４2、１２４3、１２４5）を送信するように構成されていることを特徴とする、請求項２２に記載の無線通信ネットワーク。
【請求項２４】
前記第１の基地局（ｅＮＢ4）は、第１の時間間隔の間であり、前記第１の時間間隔に続く第２の時間間隔ではない間に、前記第１の位置決め信号（１２４4-1）を前記ユーザ機器（ＵＥ1）に送信するように構成されており、前記第２の基地局（ｅＮＢ2、ｅＮＢ5）は、第２の時間間隔の間であり、第１の時間間隔ではない間に、前記第２の位置決め信号（１２４2、１２４5）を前記ユーザ機器（ＵＥ）に送信するように構成されていることを特徴とする、請求項２３に記載の無線通信ネットワーク。
【請求項２５】
前記ユーザ機器（ＵＥ1）は、第１のユーザ機器であり、前記無線通信ネットワークは、第２のユーザ機器（ＵＥ2）と、を備え、前記第１の基地局（ｅＮＢ4）は、前記複数のシーケンスの前記第１のシーケンスと、を備え、前記第２のユーザ機器（ＵＥ2）の方向の第２のシーケンスと、を備えないようにするために、第３の位置決め信号（１２４4-2）を送信するように構成されていることを特徴とする、請求項２２ないし請求項２４のうちのいずれか１つに記載の無線通信ネットワーク。
【請求項２６】
前記第１の基地局（ｅＮＢ4）は、前記ユーザ機器（ＵＥ1）の方向の位置決め信号のための複数のあらかじめ定められたシーケンスの第１のシーケンスと、を備えるために、前記第１の位置決め信号（１２４4-1）を送信するように構成されており、前記第２の基地局（ｅＮＢ2、ｅＮＢ3、ｅＮＢ5）は、前記ユーザ機器（ＵＥ1）の方向の前記第１のシーケンスと、を備えるために、前記第２の位置決め信号（１２４2、１２４3、１２４5）を送信するように構成されており、前記第１の基地局（ｅＮＢ4）は、前記第１の時間間隔の間であり、前記第１の時間間隔に続く前記第２の時間間隔ではない間に、前記第１の位置決め信号（１２４4-1）を前記ユーザ機器（ＵＥ1）に送信するように構成されており、前記第２の基地局（ｅＮＢ2、ｅＮＢ5）は、第２の時間間隔の間であり、第１の時間間隔ではない間に、前記第２の位置決め信号（１２４2、１２４5）を前記ユーザ機器（ＵＥ）に送信するように構成されていることを特徴とする、請求項２４または請求項２５のうちのいずれか１つに記載の無線通信ネットワーク。
【請求項２７】
無線通信ネットワークの無線通信ネットワークセルを制御している基地局を作動させる方法であって、
ユーザ機器に向かう方向を決定するために、前記ユーザ機器の粗位置と関連する粗位置情報を用いる（１２００）ステップと、
位置決め信号を前記ユーザ機器に送信する（１３００）ステップと、
を備え、
前記位置決め信号は、前記ユーザ機器（ＵＥ）と関連する良好位置情報（１２５）を決定することが可能になることに適しており、
前記ユーザ機器に関連する良好位置情報を決定するために、前記ユーザ機器に向かう前記位置決め信号の送信を指示することを特徴とする動作方法。
【請求項２８】
無線通信ネットワークを作動させる方法であって、
無線通信ネットワークの中のユーザ機器を作動させるステップと、
請求項１ないし請求項２１のうちのいずれか１つに記載の第１の基地局（ｅＮＢ4）を作動させて、第１、および第２の位置決め信号を送信するために、ビームフォーミング技術を協調的に用いるように、請求項１ないし請求項２１のうちのいずれか１つに記載の前記第２の基地局（ｅＮＢ2、ｅＮＢ3、ｅＮＢ5）を作動させるステップと、
を備えることを特徴とする動作方法。
【請求項２９】
非一時的なコンピュータプログラム製品は、コンピュータで読み取り可能な記録媒体に格納された命令と、を備え、コンピュータが動いているときには、請求項２７または請求項２８のうちのいずれか１つに記載の方法を実行する非一時的なコンピュータプログラム製品。
【発明の詳細な説明】
【技術分野】
【０００１】
本発明は、無線通信ネットワーク、あるいは、システムに関し、より具体的には、基地局、基地局を作動する方法、無線通信システム、そして、無線通信システムを作動する方法である。本発明は、さらに、モバイルセルラー通信システムで局所化を支援するビームフォーミングに関する。
【背景技術】
【０００２】
最新のモバイル通信ネットワークでは、局所化は、［１、２］に描かれるような、物理ダウンリンク共有チャンネル（Ｐｈｙｓｉｃａｌ  Ｄｏｗｎｌｉｎｋ  Ｓｈａｒｅｄ  Ｃｈａｎｎｅｌ）（ＰＤＳＣＨ）で送信された位置決め基準信号（Ｐｏｓｉｔｉｏｎｉｎｇ  Ｒｅｆｅｒｅｎｃｅ  Ｓｉｇｎａｌｓ）（ＰＲＳ）シーケンスに基づいていてもよい。多数のユーザ機器（ＵＥ）は、［３］に描かれるような、到達時間差（Ｔｉｍｅ  Ｄｉｆｆｅｒｅｎｃｅ  ｏｆ  Ａｒｒｉｖａｌ（ＴＤоＡ））の判断のために、ＰＲＳシーケンスが用いられてもよい。
【発明の概要】
【発明が解決しようとする課題】
【０００３】
無線通信システムについては、局地化を促進する必要がある。
【０００４】
この目的は、独立クレームで明らかにされるような主題によって達成される。
【課題を解決するための手段】
【０００５】
発明者は、位置が決定されるユーザ機器に向かう方向に位置決め信号を送信することに
よって、言い換えれば、すなわち、異なる方向を比較するときに、ＵＥに向かう方向により強い信号電力を含ませると、位置の決定は改善されるかもしれないことを発見していた。改善はより高い正確な見解、そして／あるいは、位置決め信号を受信するより高い数のユーザ機器の見解を得ることができるかもしれない。指示は、ユーザ機器で、信号電力、そして／あるいは、視界経路線の雑音比率を高くすることを可能にするかもしれず、そして、このように改善が可能になるかもしれない。
【０００６】
実施の形態によれば、基地局は、無線通信ネットワークの無線通信ネットワークセルを制御するように構成されている。基地局は、ユーザ機器の粗位置決めと関連する粗位置決め情報を用いるように構成されている。ユーザ機器と関連する良好位置決め情報を決定するために、基地局は、ユーザ機器に位置決め信号を送信し、そして、ユーザ機器に向かう位置決め信号の送信を指示するように構成されている。基地局は、ユーザ機器からの応答信号を受信するように構成されており、応答信号は、位置決め信号と関連するデータと、を備え、位置決め信号の受信状態のパラメータを指し示している。基地局は、良好位置決め情報を決定するための計算機にシーケンスの受信状態のパラメータを提供するように構成されている。計算機は、基地局、異なる基地局、あるいは、ロケーション・サーバのような、さらなるネットワーク・ノードに位置していてもよい。ユーザ機器に向かう位置決め信号を送信することを指示すると、ユーザ機器で位置決め信号を高い信号電力にすることが可能になるかもしれず、そして、このような、高度な正確性を有する局所化の決定を可能にし、そして／あるいは、信号電力レベルは、ユーザ機器によって受信され、そして、管理されるために十分な高さにすることが可能になるかもしれない。
【０００７】
実施の形態によれば、受信状態のパラメータは、位置決め信号の到達時刻、多数の位置決め信号の到達時間差、そして／あるいは、位置決め信号の到来の方向の少なくとも１つと関連している。これは、ユーザ機器の正確な局所化を可能にする。
【０００８】
実施の形態によれば、基地局は、無線通信システムのロケーション・サーバ、あるいは、さらなる基地局からの粗位置決め情報を受信するように構成されている。これは、位置決め信号にユーザ機器の実際の位置を指示するために、実際の粗位置決め情報を用いることが可能になるかもしれない。実施の形態によれば、基地局は、位置決め情報と、を備えたユーザ機器からの信号を受信するように構成されており、基地局は、受信された位置決め情報を粗情報として用いるように構成されている。ユーザ機器によって受信された位置決め情報は、例えば、ユーザ機器の局地化サービスによって取得された情報、例えば、衛星測位システムに基づく情報を含んでいてもよい。これは、ユーザ機器に向かう位置決め信号の正確な指示を可能にするかもしれない。
【０００９】
実施の形態によれば、ユーザ機器は、第１のユーザ機器である。基地局は、第１、および第２のユーザ機器に貢献する。基地局は、さらに、第２のユーザ機器に向かう方向、そして／あるいは、位置決め信号の方向からさらなる基地局に向かう方向を遮断するように構成されている。これは、第２のユーザ機器、そして／あるいは、さらなる基地局で混信を低下させることを可能にするかもしれない。実施の形態によれば、基地局は、その次のステップで、ユーザ機器の位置決めの決定を繰り返すように構成されている。基地局は、第１のステップに続く第２のステップでの粗位置決め情報としての第１のステップで決定されたユーザ機器の良好位置決め情報を用いるように構成されている。
【００１０】
実施の形態によれば、基地局は、位置決め信号にビームフォーミング技術を用いることを指示するように構成されている。基地局は、第１のステップで用いられた第１のビームの幅に比較して、第２のステップで用いられた第２のビームの幅を減らすように構成されている。このように、ビームの幅は、反復して減らされてもよい。これは、ユーザ機器で信号電力を続けて増加させて、そして／あるいは、ユーザ機器のかたわらで混信している信号を続けて減少させることを可能にするかもしれない。
【００１１】
実施の形態によれば、基地局は、第１の送信パターンを実施するために、ユーザ機器からの制御情報を受信し、および制御情報に反応するユーザ機器に向けて位置決め信号の送信を指示するように構成されている。基地局は、制御情報が欠如した第２の送信パターンに係る位置決め信号を送信するように構成されている。これは、ユーザ機器によって必要とされた、あるいは、要請されたときに、ユーザ機器に向かう位置決め信号を指示し、そして、そのような必要条件がはっきりと示されないときには、ほかのパターンを用いることを可能にするかもしれない。
【００１２】
実施の形態によれば、ユーザ機器は、第１のユーザ機器であり、そして、位置決め信号は、第１の位置決め信号である。基地局は、位置決め信号のために、複数のあらかじめ定められたシーケンスの第１のシーケンスと、を備えるようにするために、第１の位置決め信号を送信するように構成されている。基地局は、第１のユーザ機器の方向に第２の位置決め信号を送信しない間に、第２のユーザ機器の方向に第２のシーケンスに属する複数のシーケンスと、を備えた第２の位置決め信号を送信するように構成されている。これは、混信、特に、シーケンス間の混信を避けることが可能になるかもしれない。個々のシーケンスから個々のユーザ機器までのビームフォーミング技術は、例えば、同時に、多数のユーザ機器に対処することを可能にするかもしれない。
【００１３】
実施の形態によれば、無線通信システムは、ここに述べられた実施の形態に係る第１の基地局と、第２の基地局と、を備え、そして、ユーザ機器と、を備える。第１の基地局、および第２の基地局は、第１の位置決め信号、および第２の位置決め信号を送信するために、ビームフォーミング技術を協調的に用いるように構成されている。これは、異なる基地局によって送信された位置決め信号を受信するときに、ユーザ機器で信号電力をさらに増加させることを可能にするかもしれない。
【００１４】
実施の形態によれば、無線通信ネットワークの無線通信ネットワークセルを制御している基地局を作動させる方法は、ユーザ機器の粗位置決めと関連する粗位置決め情報を用いるステップと、を備えている。方法は、位置決め信号をユーザ機器に送信するステップと、ユーザ機器に関連する良好位置決め情報を決定するために、ユーザ機器に向かう位置決め信号を送信することを指示するステップと、を備えている。方法は、ユーザ機器からの応答信号を受信するステップと、を備え、応答信号は、位置決め信号と関連するデータと、を備え、位置決め信号の受信状態を指し示している。方法は、シーケンスの受信状態を良好位置決め情報を決定するための計算機に提供するステップと、を備えている。
【００１５】
さらなる実施の形態は、無線通信ネットワークを作動させる方法を提供する。その方法は、無線通信ネットワークのユーザ機器を作動させるステップと、を備え、そして、ここに記述した実施の形態に係る第１の基地局、および第２の基地局を作動させるステップと、を備えている。その方法は、第１の位置決め信号、および第２の位置決め信号を送信するためのビームフォーミング技術を協調的に用いるために、第１の基地局、および第２の基地局を作動させるステップと、を備えている。
【００１６】
さらなる実施の形態は、コンピュータが動いているときには、ここに述べた実施の形態に係る方法を実行する命令を格納しているコンピュータ読取り可能な媒体と、を備えた非一時的なコンピュータ製品と関連する。
【００１７】
さらなる実施の形態は、独立請求項で明らかにされる。
【００１８】
本発明の実施の形態は、添付された図面を参照して、これから詳細に説明される。
【発明の効果】
【００１９】
本発明の無線通信ネットワークは、局地化を促進することができる。
【図面の簡単な説明】
【００２０】
【図１】実施の形態に係るネットワークのインフラストラクチャ（ｉｎｆｒａｓｔｒｕｃｔｕｒｅ）の概略図である。
【図２ａ】実施の形態に係る異なる選択がなされたＴｘアンテナポートのための２つのアンテナ部分を有する典型的なＬＴＥ  ＯＦＤＭＡが示されている。
【図２ｂ】ＰＲＳシーケンスのマッピングの概略図が示されている。
【図３】実施の形態に係る基地局の概略ブロック図が示されている。
【図４】実施の形態によって得られた信号雑音比の概略図が示されている。
【図５】実施の形態に係る基地局を作動させる方法の概略フロー図が示されている。
【図６ａ】実施の形態に係る図５の方法のための粗位置決め情報を得るために実行されてもよい概略フローチャートが示されている。
【図６ｂ】実施の形態に係る、二者択一的、あるいは、図６ａの方法に加えて用いられてもよいさらなる方法の概略図が示されている。
【図７】ロバスト性を増大させるための実施の形態に係る方法の概略図が示されている。
【図８】実施の形態に係る基地局によって送信されてもよいビームの概略上面図が示されている。
【図９】実施の形態に係る無線通信ネットワークの概略ブロック図が示されている。
【図１０】制御プレーン位置決め概念の概略図が示されている。
【００２１】
同じ、あるいは、同等の機能を有する同じ、あるいは、同等の要素、あるいは、要素は、たとえ異なる図面であっても、同じ、あるいは、同等の関連番号によって以下に記述され、表示される。
【００２２】
以下の記述では、複数の詳細は、本発明の実施の形態の説明を通じて、より多くの完全な説明を提供するために述べられる。しかしながら、本発明の実施の形態がこれらの特定の詳細で実施されてもよいことは、当業者にとって明らかである。その他の実例では、よく知られた構造と装置は、本発明の実施の形態が不明確になるのを避けるために、詳細よりも、むしろ、ブロック図形式で示される。これに加えて、もし特に重要でなければ、以下に記述された異なる実施の形態の特徴は、互いに組み合わされてもよい。
【００２３】
以下に記述された実施の形態は、無線通信ネットワークの少なくとも１つの無線通信ネットワークセルを作動させる基地局を参照してもよい。言及は、以下のＬＴＥ（ｌｏｎｇ  ｔｅｒｍ  ｅｖｏｌｕｔｉｏｎ）によって作動している無線通信ネットワークについてなされる。ここで記述された実施の形態に関連する記述、そして、ＬＴＥに関する記述は
、たとえば、限定されない、５台のＧ／ｎｅｗ無線装置、または、その種類の他のものによって操作される、他のモバイル通信ネットワークと関連してもよい。ここに記述される実施の形態の１つの実施の態様は、決定、あるいは、信号が送信される方向の最も少ない影響に基づいている。これは、例えば、ビームフォーミング技術を用いているときに得られてもよい。ビームフォーミング技術、あるいは、信号の方向の影響のための他の技術を用いて得られる恩恵は、ＬＴＥとは異なる通信の標準で得られてもよい。
【００２４】
ここで記述された実施の形態は、無線通信ネットワークの中で作動しているユーザ機器を参照しているが、実施の形態は、ＩｏＴ装置を参照してもよい。ＩｏＴ装置は、物理デバイス、車、ビル、そして、その中に電子部品が埋め込まれた他のアイテム、ソフトウエア、センサ、アクチュエータ、その他のものに含まれるかもしれず、これと同様に、既存のネットワーク基盤の向こうでデータを集めて、交換し合うことを可能にするこれらの装置のようなネットワークの結合性をネットワーク化するかもしれない。図１は、それぞれのセル１００1から１００5によって基地局を囲むように概略的に表された特定の地域のそれぞれに貢献する、複数の基地局ｅＮＢ1からｅＮＢ5までを含むような、このようなネットワークインフラストラクチャの例の概略図である。基地局は、セルの中のユーザに貢献するために提供される。ユーザは、据え置き型装置、あるいは、モバイル機器であってもよい。さらに、無線通信システムは、基地局、あるいは、ユーザに接続されているＩｏＴ装置によってアクセス（ａｃｃｅｓｓ）されてもよい。図１は、５つのセルだけの典型的な図を示している。しかしながら、無線通信ネットワークは、より多くのそのようなセルを含んでいてもよい。図１は、また、基地局ｅＮＢ4によって貢献されるセル１００2の中のユーザ装置（ＵＥ）とも呼ばれている２つのユーザＵＥ1、およびＵＥ2を示している。別のユーザＵＥ3は、基地局ｅＮＢ4によって貢献されるセル１００4の中に示されている。矢印１０２、１０２2、および１０２3は、ユーザＵＥ1、ＵＥ2、およびＵＥ3から基地局ｅＮＢ1、およびｅＮＢ2にデータを送信するため、あるいは、基地局ｅＮＢ1、およびｅＮＢ2にデータからユーザＵＥ1、ＵＥ2、およびＵＥ3にデータを送信するためのアップリンク（ｕｐｌｉｎｋ）／ダウンリンク（ｄｏｗｎｌｉｎｋ）接続を図式的に表している。さらに、図１が示す、セル１００4の中の２つのＩｏＴ装置１０４1、および１０４2は、据え置き型装置、あるいは、モバイル機器であってもよい。ＩｏＴ装置１０４1は、図式的に表された矢印１０５1によって，データを受信、および送信するために、基地局ｅＮＢ4を経由して無線通信システムにアクセスしている。ＩｏＴ装置１０４2は、図式的に表された矢印１０５2によって、ユーザＵＥ3を経由して無線通信システムにアクセスしている。ＵＥと比較したときには、ＩｏＴ装置は、例えば、頻繁ではないチャンネルにアクセスし、そして／あるいは、低い帯域幅を使用してもよい、しかし、他の方法は、チャンネルアクセス、あるいはその他のものの要求を考慮したさらなるネットワーク・ノードであってもよい。
【００２５】
無線通信システムは、ＬＴＥ標準によって定義される直交周波数分割多重方式（ＯＦＤＭ）システム、直交周波数分割多元接続（ＯＦＤＭＡ）システムのような周波数分割多重化に基づくシングル・トーン、あるいは、多搬送波システムであってもよく、または、例えば、ＤＦＴ−Ｓ−ＯＦＤＭようなＣＰの有無を問わないどんな他のＩＦＦＴに基づく信号であってもよい。他の波形は、非直角波形のように、例えば、フィルタ−バンク多搬送波（ＦＢＭＣ）のような複数のアクセスのために用いられてもよい。
【００２６】
ユーザＵＥ1、ＵＥ2、ＵＥ3のような標準的なＬＴＥ装置は、第１の帯域幅の範囲内で作動し、ＩｏＴ装置１０４1、および１０４2は、第１の帯域幅よりも狭い第２の帯域幅の範囲内で作動してもよい。第２の帯域幅は、ＬＴＥ  Ｒｅｌ．１３標準を充実させたＮＢ−ＩｏＴに従って定義されてもよく、ＮＢ−ＩｏＴは以下で言及する。ＬＴＥ標準に従って作動する無線通信システムは、１．４ＭＨｚ、３．０ＭＨｚ、５ＭＨｚ、１０ＭＨｚ、１５ＭＨｚ、２０ＭＨｚのシステム帯域幅、あるいは、これらの任意の組み合わせから構成される帯域幅を有していてもよく、ＬＴＥ  Ｒｅｌ．１３標準を充実させたＮＢ−ＩｏＴに従った帯域幅は、２００ＭＨｚであってもよい。
【００２７】
データを送信するためのＯＦＤＭＡは、７つのＯＦＤＭシンボルによる１２のサブキャリアのそれぞれによって定義される物理リソース（ｒｅｓｏｕｒｃｅ）ブロック（ＰＲＢｓ）と、を備えたＯＦＤＭＡに基づく物理リソースグリッドを含んでいてもよい。リソース要素は、時間領域の中の１つのシンボル、および周波数領域の中の１つのサブキャリアから成り立つ。例えば、ＬＴＥ標準に従った帯域幅１．４ＭＨｚのシステムは、６ＰＲＢｓを含み、そして、ＬＴＥ  Ｒｅｌ．１３標準を充実させたＮＢ−ＩｏＴに従った２００ｋＨｚの帯域幅は、１ＰＲＢを含む。ＬＴＥ  Ｒｅｌ．１３、およびＮＢ−ＩｏＴに従った物理チャンネルは、ユーザの特定のデータを含む物理ダウンリンク共有チャンネル（ｐｈｙｓｉｃａｌ  ｄｏｗｎｌｉｎｋ  ｓｈａｒｅｄ  ｃｈａｎｎｅｌ）（ＰＤＳＣＨ）を含んでいてもよく、また、ダウンリンクペイロードデータと呼ばれており、物理ブロードキャストチャンネル（ｐｈｙｓｉｃａｌ  ｂｒｏａｄｃａｓｔ  ｃｈａｎｎｅｌ）（ＰＤＣＨ）は、例えば、マスター情報ブロック（ＭＩＢ）、あるいは、システム情報ブロック（ＳＩＢ）を含んでおり、物理ダウンリンク制御チャンネル（ｐｈｙｓｉｃａｌ  ｄｏｗｎｌｉｎｋ  ｃｏｎｔｒｏｌ  ｃｈａｎｎｅｌ）（ＰＤＣＣＨ）は、例えば、ダウンリンク制御情報（ｄｏｗｎｌｉｎｋ  ｃｏｎｔｒｏｌ  ｉｎｆｏｒｍａｔｉｏｎ）（ＤＣＩ）などを含んでいる。物理信号は、基準信号（ＲＳ）と、同期信号と、そして、その他のものと、を備えていてもよい。ＬＴＥリソースグリッドは、周波数領域で、例えば、１．４ＭＨｚの特定の帯域幅を有する時間領域で１０ｍｓのフレームと、を備えていてもよい。フレームは、１ｍｓの長さの１０のサブフレームを有し、互いのサブフレームは、サイリック・プレフィックス（ＣＰ）の長さに依存した６、あるいは７のＯＦＤＭシンボルの２つのスロットを含んでいる。
【００２８】
図２ａは、異なる選択がなされたＴｘアンテナポートのための２つのアンテナ部分を有するＬＴＥ  ＯＦＤＭＡを基本にしたサブフレームを図式的に示している。サブフレームは、サブフレームの１つのスロット、および周波数領域の１２のサブキャリアから成り立つそれぞれ２つのリソースブロック（ＲＢ）を含む。サブキャリアは、周波数領域の中では、サブキャリア０からサブキャリア１１として、時間領域の中では、例えば、スロット０の中にＯＦＤＭシンボル０から６、そして、スロット１の中にＯＦＤＭシンボル７から１３というように、それぞれ７つのＯＦＤＭシンボルを含むスロットとして示されている。白い箱１０６は、ペイロード、あるいは、ユーザデータを含むＰＤＳＣＨに割り当てられたリソース要素を表しており、ペイロード領域とも呼ばれる。１つ、あるいは、それ以上のＰＤＳＣＨのリソース要素は、位置決め基準信号（Ｐｏｓｉｔｉｏｎｉｎｇ  Ｒｅｆｅｒｅｎｃｅ  Ｓｉｇｎａｌｓ）（ＰＲＳ）の送信のために用いられてもよい。ＰＲＳは、ユーザ機器、そして／あるいは、ＩｏＴ装置の位置を決定するために用いられてもよい。物理制御チャンネル（非ペイロード、あるいは、非ユーザデータを含んでいる）のためのリソース要素は、制御領域とも呼ばれ、ハッチングされた箱１０８によって表される。例に従えば、リソース要素１０８は、ＰＤＣＣＨ、物理制御フォーマット指示チャンネル（Ｐｈｙｓｉｃａｌ  ｃｏｎｔｒｏｌ  ｆｏｒｍａｔ  ｉｎｄｉｃａｔｏｒ  ｃｈａｎｎｅｌ）（ＰＣＦＩＣＨ）、および物理ハイブリッドＡＲＱ指示チャンネル（ｐｈｙｓｉｃａｌ  ｈｙｂｒｉｄ  ＡＲＱ  ｉｎｄｉｃａｔｏｒ  ｃｈａｎｎｅｌ）（ＰＨＩＣＨ）に割り当てられてもよい。交差ハッチングされた箱１１０は、チャンネル推定のために用いられてもよいＲＳに割り当てられたリソース要素を表している。黒い箱１１２は、別のアンテナポートの中のＲＳｓに対応している最新のアンテナポートの中の使用されていないリソースを表している。物理制御チャンネル、そして、物理基準信号に割り当てられているリソース要素１０８、１１０、１１２は、時間の経過とともに均一に割り当てられることはない。より具体的には、シンボル０、およびシンボル１と協働するサブフレームのスロット０の中のリソース要素は、物理制御チャンネル、あるいは、物理基準信号に割り当てられ、シンボル０、およびシンボル１の中の非リソース要素は、ペイロードデータに割り当てられる。サブフレームのスロット０の中のシンボル４と協働するリソース要素はもちろん、スロット１の中のシンボル７、および１１と協働するリソース要素は、部分的に物理制御チャンネル、あるいは、物理基準信号に割り当てられる。図２ａに示されている白いリソース要素は、シンボル２、３、５、そして、６のために、スロット０の中のペイロードデータ、あるいはユーザデータと協働するシンボルを含んでいてもよく、すべてのリソース要素は、スロット０のシンボル４の中のペイロードデータに割り当てられていてもよく、そして、非リソース要素は、シンボル０、および１の中のペイロードデータに割り当てられる。シンボル８、９、１０、１２、および１３と協働するスロット１の中のリソース要素は、すべ��、ペイロードデータに割り当てられ、シンボル７と１１との間のより少ないリソース要素は、ペイロードデータに割り当てられる。
【００２９】
図２ｂは、［６］の中に記述されたＰＲＳシーケンスのマッピングの概略図を示している。位置決め基準信号は、位置決め基準信号を送信するように構成されたダウンリンクサブフレームの中のリソースブロックに送信されるようになっている。もし、通常とＭＢＳＦＮ（Ｍｕｔｏ−ｂｒｏａｄｃａｓｔ  ｓｉｎｇｌｅ−ｆｒｅｑｕｅｎｃｙ  ｎｅｔｗｏｒｋ）の両方のサブフレームが、セルの中の位置決めサブフレームとして構成されていれば、これらのサブフレームの中のＭＢＳＦＮ領域の中の位置決め基準信号のために構成されたＭＢＳＦＮのＯＦＤＭシンボルは、拡大されたサイリックプレフィクス長を用いてもよい。サブフレームの中は、位置決め基準信号の送信のために構成されており、位置決め基準信号の送信のために構成されたＯＦＤＭシンボルの開始位置は、位置決め基準信号の送信のために構成されたＯＦＤＭシンボルとしての同じサイリックプレフィクス長を有するすべてのＯＦＤＭシンボルの中のサブフレームの中で同一であってもよい。位置決め基準信号は、アンテナポート６から送信されてもよい。位置決め基準信号は、アンテナポートを考慮しない、ＰＢＣＨ、ＰＳＳ、あるいは、ＳＳＳに割り当てられた（ｋ、ｌ）とは異なるリソース要素に位置していてもよい。位置決め基準信号は、例えば、中心周波数をｆ±１５ｋＨｚにするような、特定の周波数範囲で定められてもよい。ＰＲＳを送信するためのスロット２１４は、Ｒ6によってマークされており、偶数、および、奇数のスロットで表されている。位置決め基準信号の帯域幅は、より高い層によって構成されていてもよい。
【００３０】
図３には、実施の形態に係る基地局ｅＮＢの概略ブロック図が示されている。基地局ｅＮＢは、無線通信ネットワークセル１００、例えば、図１のセル１００1から１００5のうちの１つを制御するように構成されている。基地局ｅＮＢは、ユーザ機器ＵＥと関連する粗位置決め情報１２３を用いるように構成されている。ユーザ機器は、無線通信ネットワークセル１００に配置されていてもよく、そして、基地局ｅＮＢによって作動されてもよい。さらに詳細に後で記述されるように、ユーザ機器を無線通信ネットワークセル１００の外に配置すること、そして／あるいは、基地局ｅＮＢによって作動されることが可能である。
【００３１】
粗位置決め情報は、特定の分析、そして／あるいは、時間内の分析に関連する粗い無線通信ネットワークセル１００の中の粗い場所と、あるいは、粗い位置１２３についての情報と、を備えていてもよく、または、特定の分析、そして／あるいは、時間内の分析に関連する粗い無線通信ネットワークセル１００の中の粗い場所、あるいは、粗い位置１２３についての情報であってもよい。例えば、粗い位置情報は、ユーザ機器が配置された、または、配置されると思われるセル１００のセクタ１２７ａ−ｄについての情報と、を備えていてもよい。これは、粗い位置１２３を指し示している正確な情報を含んでいてもよく、正確な情報、指し示めされた粗い情報は、それぞれ、不確定要素に悩まされる。不確定要素は、例えば、許容範囲内のｘとｙのような座標に沿ったＵＥの位置であってもよい。許容範囲は、例えば、少なくとも５００ｍ、少なくとも１００ｍ、あるいは、少なくとも１０ｍであってもよい。二者択一的に、または、これに加えて、粗位置情報は、前に、そして／あるいは、セル１００の範囲内の地域、または、許容範囲の中のＵＥの前から既知の位置と、を備えた無線通信ネットワークの範囲内で決定された情報であってもよい。許容範囲は、ＵＥの位置が知られてからの時間間隔で増やされる、例えば、最小、最大、または、平均的な速度であってもよい。一般的な期間では、粗い位置情報１２３は、ＵＥが位置している無線通信ネットワークセル１００の範囲内のセクション、あるいは、地域を指し示してもよい。
【００３２】
基地局は、少なくともＵＥの局地化をサポートするように構成されている。例えば、ＵＥ、または、他のネットワーク・ノードのどれでもＵＥの局地化を引き起こす、または、開始してもよい。ＵＥによって起動されたときには、ＵＥのアプリケーションは、ＵＥの正確な局地化を必要とする。世界的なナビゲーション人工衛星システム、例えば、ＧＰＳ、Ｇａｌｉｌｅｏｏｒ、あるいは、ＧｌｏｎａｓｓのようなＵＥの他のサービスは、不正確、あるいは、不可能であってもよい。それを基礎にして、ＵＥは、ネットワークに、その位置を決定するように要求してもよい。あるいは、ネットワークは、例えば、緊急対応的にＵＥの位置を決定する要因になってもよい。
【００３３】
ＵＥの良好位置を決定するために、基地局は、位置決め信号１２４をＵＥに送信するように構成されている。位置決め信号は、例えば、ＰＲＳであってもよい。または、位置決め信号は、ユーザ機器の受信状態を決定することが可能な異なる信号であってもよい。特に、ＬＴＥとは異なる通信標準は、ＰＲＳに類似した信号に名前をつける、あるいは、直接、類似した機能を提供してもよい。例えば、基地局は、例えば、ＰＤＳＣＨチャンネルのような、無線通信ネットワークセル１００の標準的なチャンネルの中の位置決め信号１２４を送信するように構成されていてもよい。基地局ｅＮＢは、位置決め信号１２４を粗い位置１２３に誘導するように構成されている。例えば、ｅＮＢは、ビームフォーミング技術、あるいは、信号が低い信号電力で送られる第２の方向と比較されるときの最初の、位置決め信号１２４を最初の方向に送信することを可能にする他の技術を用いてもよい。例えば、ｅＮＢは、複数のアンテナと、を備え、それぞれのアンテナは、セル１００のセクタ１２７ａから１２７ｄに貢献するように構成されている。ｅＮＢは、信号電力を減らす、あるいは、アンテナが保護しているセクタ、あるいは、ユーザ機器が位置していないセル１００の領域の機能を停止することについてまで構成されている。これに対して、ｅＮＢは、アンテナが保護している、ユーザ機器が配置された、言い換えれば、ｅＮＢが粗位置情報を用いている領域、あるいは、セクタを作動させる、または、用いるように構成されていてもよい。ビームフォーミング技術を用いるときには、ｅＮＢは、位置決め信号１２４をセル１００の内部の点、言い換えれば、位置決め信号に影響を与える可能性がある送信範囲の角度のそばの方に向かわせるように構成されていてもよい。
【００３４】
ビームフォーマ技術、あるいは、その他のものを用いているときに、ｅＮＢは、確実に、または、少なくとも、位置決め信号１２４を有するユーザ機器のエラー率を１５％、１０％、５％より低くするために、粗位置決め情報を用いるように構成されており、言い換えれば、エラー率は、ビットエラー率よりもむしろ送信が成功する可能性と関係してもよい。
【００３５】
基地局は、ユーザ機器からの応答信号１２６を待ち、そして／あるいは、受信するように構成されており、ＵＥは、応答信号を基地局に、そして／あるいは、ロケーション・サーバのような異なるネットワーク・ノードに送信ししてもよい。図１０に関連して、さらに詳細に後で記述されるように、位置決めは、制御プレーンで実行されてもよく、言い換えれば、応答信号は、基地局、そして／あるいは、ユーザ・プレーンで受信される。以下に、そして、実施の形態によれば、基地局は、応答信号を受信し、そして／あるいは、査定するように構成されている。ここに述べる実施の形態の１つの実施の態様は、位置決め信号の送信のために、ビームフォーミングを用いることができる。この実施の態様は、それぞれの応答信号を受信、そして／あるいは、査定するノードから独立している。このように、限定されずに、ＵＥは、応答信号をロケーション・サーバのような異なるネットワーク・ノードに送信してもよい。
【００３６】
応答信号１２６は、ユーザ機器で、位置決め信号１２４の受信状態のパラメータを指し示す情報と、を備えていてもよい。パラメータは、例えば、位置決め信号１２４の到着時間（ＴｏＡ）、到着時間差（ＴＤｏＡ）、そして／あるいは、位置決め信号１２４の到来方向（ＤｏＡ）で受信された位置決め信号１２４の１つ、あるいは、１つ以上の経路のための信号雑音比（ＳＮＲ）、雑音干渉比（ＳＩＮＲ）であってもよい。さらに詳細に後で記述されるように、複数の基地局は、異なる時間にユーザ機器に到着する位置決め信号を送信してもよい。ユーザ機器は、異なる位置決め信号の到着の間の観測時間差（ＯＴＤｏＡ）を決定して、そして、これらの時間の違い、または、応答信号１２６の送信による他のパラメータを指し示してもよい。このように、基地局は、ユーザ機器から受信した信号に基づく到来の方向を決定するように構成されており、基地局は、到来の方向に基づく粗位置決め情報を決定するように構成されている。
【００３７】
基地局は、受信状態のパラメータ、あるいは、受信状態のパラメータになりつつあるものを指し示す情報１２８を抽出し、および受信状態のパラメータを計算機１３２に提供する。計算機１３２は、受信状態のパラメータを用いるユーザ機器の良好位置１２５を決定するように構成されていてもよい。粗い位置１２３と比較したときには、良好位置１２５は、より正確かもしれない。それぞれの位置情報の正確さは、本当、あるいは、実際のユーザ決定の位置、そして／あるいは、位置情報の時期と関連する可能性がある特定の許容範囲と関連してもよい。粗位置決め情報１２５と比較したときには、良好位置情報は、少なくとも５％、少なくとも１０％、少なくとも２０％よりもさらに正確である可能性がある。例えば、ｅＮＢと関連するユーザ機器の可能性がある方向の開口角度、ｅＮＢと関連するＵＥの距離、ＵＥの位置の周辺の許容範囲の大きさ、不確実要素によって影響を受ける許容範囲、セル１００、あるいは、その他のものによって影響を受けるセクタの拡張は、粗位置決め情報のための第１の値であると推測されてもよく、そして、良好位置決め情報が得られたときには、より正確に決定されてもよい。良好位置決め情報は、座標と、そして／あるいは、ユーザ機器、そして／あるいは、ユーザ機器自身の方向と、備えていてもよい。低いチャンネルロスを伴うＰＲＳシーケンスを受信することが可能なＵＥのシナリオが存在していてもよく、それによって、ビームフォーミングされていない、あるいは、全方位的なビームを送信するときに、十分に高いＳＮＲを持つようになる。シナリオの例は、ｅＮＢとＵＥとの間の短い距離を伴う、フリー・フィールド・シナリオであってもよい。これは、位置決め信号を指示するときに、ＳＮＲは一定であり、そして／あるいは、最低、または、正確性が改善されない結果になってもよい。このような場合には、良好位置情報は、粗位置情報と同様の正確性を有してはいるが、十分に高いレベルである。
【００３８】
コントローラ１３２は、ｅＮＢ、あるいは、その近くに配置され、ｅＮＢの一部であってもよい。あるいは、コントローラ１３２は、無線通信ネットワークの範囲内のネットワーク・ノードの位置情報を提供するロケーション・サーバのような、異なるネットワーク・ノードの一部であってもよい。
【００３９】
基地局ｅＮＢは、ユーザ機器ＵＥ、例えば、それぞれの信号から制御情報を受信するように構成されていてもよい。基地局は、第１の送信パターンが実施されるように、制御情報に反応するユーザ機器に向けて、位置決め信号の送信を指示するように構成されていてもよい。基地局ｅＮＢは、制御情報が欠如した中では、異なる送信パターンに係る位置決め信号を送信するように構成されていてもよい。このように、基地局ｅＮＢは、制御情報に反応する位置決め信号を指示することを実施するための要因になってもよい。制御情報は、ユーザ機器、さらなる基地局、そして／あるいは、例えば、ロケーション・サーバのような、異なる実在のネットワークから受信されてもよい。異なるパターンは、例えば、無指向性のパターンであってもよい。これは、一時的な位置決め信号の指示は、言い換えれば、緊急、あるいは、優先順位があったために他のシナリオが要請する場合のオプションであると理解される。
【００４０】
ＵＥによって送信された応答信号１２６は、ロケーション・サーバ、あるいは、基地局のような、受信ノードのために透過的（ｔｒａｎｓｐａｒｅｎｔ）であってもよく、言い換えれば、他の応答信号と比較したときには、構造は変化しない。位置決め信号を受信する、そして／あるいは、良い質を有する位置決め信号を受信するＵＥで、受信を失敗、または、悪い質で位置決め信号を受信するシナリオと比較したときには、違いが、見つかるかもしれない。
【００４１】
言い換えれば、特定のＵＥでＰＲＳシーケンスのＳＮＲの受信を増加させるための、基地局でのビームフォーミングベクトルのアプリケーションは、ＰＲＳの送信であると記述されている。これは、アナログを用いる、そして／あるいは、デジタルビームフォーミングで実行されてもよい。知らされているＰＲＳ信号は、ＵＥで受信され、貢献している基地局から、複数のＬｏＳ／ＮＬｏＳ経路、およびｅＮＢの周囲の到着時間（ＴｏＡ）、到着時間差（ＴＤｏＡ）、および到来方向(ＤｏＡ)推定のために実行され、ＤｏＡ測定は、多くのアンテナＵＥのために実行される。ビームフォーミングベクトル計算は、ＵＥｓと協働する推定されたチャンネル応答に基づいていてもよく、および、保護している基地局のために適用してもよい。ビームフォーミングベクトル計算は、ユーザ機器、あるいは、ユーザ機器位置に向かう方向に基づいていてもよい。例えば、先に取得した位置情報は、利用される可能性がある。ビームフォーミングベクトルは、貢献している、そして／あるいは、周囲の基地局で適用されてもよい。特性、あるいは、複数のＬｏＳ／ＮＬｏＳの経路に沿った喪失に基づいて、基地局は、ＬｏＳ経路と、を備えるために、ＵＥと基地局の間のＬｏＳ経路の方向を決定、あるいは、推定するように構成されていてもよく、および信号を形成してもよい。例えば、ＵＥからの届いた高い信号の振幅の方向は、ＬｏＳ経路であってもよい。これに加えて、基地局は、ＬｏＳ経路のくつかを除外し、最も、あるいは、好ましくはすべてをＬｏＳ経路にするために、狭い信号を形成するように構成されていてもよい。これは、高い送信品質を可能にする。このように、基地局は、ユーザ機器と基地局との間の視界経路の線を決定するように構成されていてもよい。基地局は視界経路線ではない方向を除外して、位置決め信号を視界経路線の方向に送信するように構成されていてもよい。
【００４２】
図４には、縦座標に、信号雑音比ＳＮＲ示されているのに対して、横座標に、周波数ｆが示されている概略図が示されている。例えば、位置決め信号１２４は、シーケンスのプールの外で、ＰＲＳシーケンスのようなあらかじめ定められたシーケンスと、を備えていてもよい。ユーザ機器は、限定されていない例だけで、受信された位置決め信号１２４と可能なシーケンス、または、待機しているシーケンスとの間で、相互相関のような、相関関係を達成してもよい。このような相関は、１つ以上のピークに達する結果になってもよく、図４には、１つのピークが概略的に描かれている。異なる経路を通じてのシーケンスの受信は、より高い数のピークをもたらす結果になるかもしれない。
【００４３】
ユーザ機器の方向に位置決め信号１２４を指示すると、全方位送信と比較して、ＵＥにより高い信号電力を与えるかもしれない。これは、ＳＮＲは、位置決め信号１２４を、例えば、ビームフォーミングされない、または、セクタアンテナの方向、あるいは、特性によって決定される、広い領域に送信したときに、取得されるレベルＬ2と比較して、より高いレベルＬ1と、を備える結果になるかもしれない。このように、位置決め信号を指示することによって、信号電力が高いＳＮＲと、または、ＳＩＮＲと、を備えたユーザ機器で、ユーザ機器でより良い信号が得られることが可能になるかもしれない。このより良い信号は、基地局からユーザ機器への送信の特徴をより正確に決定することを可能にするかもしれず、そして／あるいは、信号品質、あるいは、送信パラメータの適切な決定をすることができる信号電力レベルを与えるかもしれない。これは、ユーザ機器は、隠されている、あるいは、長距離に向かうシナリオの中のケースであり、そして、ビームフォーミングされないで送信されており、または、最高でも、低いＳＮＲと、あるいは、ＳＩＮＲであり、位置決め信号としてすら認められない。
【００４４】
言い換えれば、ここに述べられた実施の形態は、観測時間差（ＯＴＤｏＡ）測定を基礎にした、ＬＴＥシステムとしてのモバイル通信ネットワークの中の特定のユーザ機器のための位置推定を改良したものであってもよい。ダウンリンクＯＴＤｏＡ測定は、ｅＮＢｓによって送信され、そして、ＵＥによって受信されたＰＲＳシーケンスを基礎にしている。受信されたＰＲＳシーケンスのＳＮＲは、ＵＥに特有のビームが形成したＰＲＳシーケンスを用いて増やされる。その上、いわゆる、効果的なビームフォーミングチャンネルは、より少ない反射で表され（視覚線／非視覚線  ＬＯＳ／ＮＬＯＳ）、多数のチャンネルと比較される経路要素は、ビームフォーミングを形成する。続いて起きるので、ＰＲＳ相互相関機能は、１つのピークだけで表され、あるいは、ほとんど複数のピークに達することはなく、ＵＥでＴｏＡ／ＴＤｏＡは大いに単純化される。
【００４５】
図５には、実施の形態に係る無線通信ネットワークの無線通信ネットワークセルを制御している基地局を作動させる方法１０００の概略フロー図が示されている。
【００４６】
方法は、粗位置１２３を示すかもしれない、得られたユーザ機器の粗位置と関連する粗位置情報と、を備えている。
【００４７】
ステップ１２００の中では、粗位置情報は、ユーザ機器に向かう方向を決定するために用いられる。方向は、絶対値であってもよく、相対値、あるいは、基地局からのベクトルであってもよい。方向は、他の方向と比較して、高い信号電力で送信された位置決め信号に沿った方向を指し示すパラメータの値であってもよい。例えば、基地局は、局地化サーバ、あるいは、異なる基地局からのベクトル、あるいは、方向を受信してもよい。ベクトルは、基地局からＵＥの粗位置までの方向を指し示している。基地局は、受信したベクトルに沿った位置決め信号を決定するために、そのアンテナの送信特性を決定して、その後に方向を決定してもよい。
【００４８】
言い換えれば、貢献している基地局は、送信の前に、先のステップ１１００からの位置、あるいは、角度情報（到来の方向）に基づいて、ＰＲＳ信号で用いられるためのビームフォーミングベクトルを計算する。ビームフォーミングベクトル設計の目的は、目的のＵＥでＰＲＳ信号のＳＮＲの受信を最大にすることである。第２の目的は、同じセル、あるいは、近くのセルで他のＵＥの影響を最大にすることである。ビームフォーミングベクトル計算は、アンテナの配列、およびＵＥに向かう方向、あるいは、その位置で協働する、ｅＮＢのアンテナ反応に基づいていてもよい。これに加えて、ビームフォーミング重みは、チャンネル、他のＵＥの方向、あるいは、位置、そして／あるいは、他の基地局に基づいていてもよい。
【００４９】
ステップ１３００では、位置決め信号１２４のような位置決め信号は、ユーザ機器に送信される。位置決め信号の送信は、位置決め信号に反応する反応信号の受信感度に基づくユーザ機器と関連する良好位置情報を決定するために、例えば、ユーザ機器に向かう方向に沿って、ユーザ機器に向けて指示される。
【００５０】
ステップ１４００では、応答信号は、ユーザ機器から受け取られる。応答信号は、位置決め信号と関連するデータと、を備えるとともに、位置決め信号の受信感度のパラメータを指し示している。
【００５１】
ステップ１５００では、受信感度のパラメータは、良好位置情報を決定するために、計算機、例えば、計算機１３２に提供される。
【００５２】
ステップ１６００では、良好位置情報は、計算機を用いて決定される。計算機は、良好位置情報を決定するためのステップを実行するように、例えば、中央処理装置（ＣＰＵ）、マイクロコントローラ、特定用途向け集積回路（ＡＳＩＣ）、または、ハードウエア、あるいは、ソフトウエアによってプログラム可能などんなほかの装置であってもよい。
【００５３】
任意のステップ１７００は、例えば、１つ以上のステップ１１００、１２００、１３００、１４００、１５００．そして／あるいは、１６００のような、反復の方法１０００と、を備え、例えば、ステップ１６００の決定された良好位置情報は、方法１０００を繰り返している間に、粗位置情報として用いられてもよい。
【００５４】
図６ａには、ステップ１１００で粗位置情報を取得するように、方法１０１０が実行されてもよい概略フローチャートが示されている。ステップ１１００では、ユーザ機器に貢献している基地局は、ユーザ機器から、いわゆる、サウンディング参照信号（ｓｏｕｎｄｉｎｇ  ｒｅｆｅｒｅｎｃｅ  ｓｉｇｎａｌ）（ＳＲＳ）を受信してもよい。あるいは、基地局は、基地局でチャンネル推定を可能にするどんなほかの適切な信号を受信してもよい。
【００５５】
ステップ１１２０では、貢献している基地局は、受信されたＳＲＳを用いるユーザ機器からチャンネル、そして／あるいは、複数のチャンネルを推定してもよい。これは、視界経路線、そして／あるいは、非視界経路線を含んでいてもよい。
【００５６】
ステップ１３００では、基地局は、チャンネル推定から到来方向を得てもよい。基地局は、粗位置情報として、到来方向を用いるように構成されていてもよく、例えば、基地局は、ステップ１２００で方向を決定するときに、粗位置情報を用いるように構成されていてもよい。
【００５７】
図６ｂには、粗位置情報を得るように、あるいは、または、方法１０１０に加えて用いられることが可能な方法１０２０の概略図が例示されている。ステップ１１５０では、基地局は、ロケーション・サーバからユーザ機器の位置を得ることが可能である。ネットワークで利用可能なロケーション・サーバは、適切な情報源であってもよい。あるいは、または、これに加えて、基地局は、ロケーション・サーバに格納された先の位置に基づいて
ユーザ機器を推定して、そして、ステップ１１６０で提供してもよい。例えば、時期、そして、おそらく不正確であるが、それでも利用可能な位置情報は、ロケーション・サーバから得てもよい。
【００５８】
あるいは、または、これに加えて、ユーザ機器の位置は、ステップ１１７０でユーザ機器から得てもよい。例えば、ユーザ機器は、その位置についての知識を有する限り、その位置を送信してもよい。例えば、ユーザ機器は、粗位置についての情報を提供するように構成されている位置決め装置と、を備えていてもよい。例えば、ユーザ機器は、全地球測位システムに基づいてその位置を決定してもよい。あるいは、または、これに加えて、ユーザ機器は、自らの位置を指し示すユーザコマンドに基づいて、その位置を送信するように構成されていてもよい。
【００５９】
あるいは、または、これに加えて、基地局は、ステップ１１８０でユーザ機器から先に取得されていた位置からユーザ機器位置を推定するように構成されていてもよく、例えば、基地局は、例えば、ステップ１１７０の間に、ユーザ機器から先に受信した老朽化した情報を用いるように構成されていてもよい。
【００６０】
どんな他の方法でも、ユーザ機器の粗位置を指し示す粗位置情報を得るように、実施されてもよい。
【００６１】
基地局で、多くのアンテナが利用可能である場合に、アプローチのロバスト性は、図７に関して記述された方法１０３０の以下の１つ以上のステップを適用することによって高められてもよい。方法１０３０は、ステップ１３００の一部として実施される。ステップ１３１０では、最も小さいビーム半値幅（ｈａｌｆ  ｐｏｗｅｒ  ｂｅａｍ  ｗｉｄｔｈ）（ＨＰＢＷ）よりも長いＨＰＢＷを有するビームは、ユーザ機器の方向のビームフォーマとして用いられてもよい。ＨＰＢＷのサイズは、粗位置情報についての不確実性に基づいていてもよい。例えば、情報はより古く、あるいは、ユーザ機器はより早く移動し、ＨＰＢＷはより長くてもよい。広帯域ビーム（ｂｒｏａｄ  ｂｅａｍ）は、ユーザ機器で受信されたＰＲＳシーケンスのＳＮＲが増加する可能性を増加させてもよい。これは、ＵＥによって、ロバスト性受信を可能にする第１の広帯域ビームを用いることを可能にするかもしれず、また、ＵＥによって、安全な受信を維持する間には、狭帯域ビームは、連続して、ＳＮＲを増加させることを可能にする。
【００６２】
実施されてもよいステップ１３２０では、例えば、方法１０００の受信の間、そして／あるいは、ユーザ機器がより信頼できると知られているとき、言い換えれば、良好位置情報が得られたときには、ステップ１３１０と比較して、ビームのＨＰＢＷは、より狭いビームを得られるようにするために、減少させてもよい。これは、ユーザ機器でＰＲＳシーケンスのＳＮＲの受信をさらに増加させることを可能にするかもしれず、特に、送信電力は、変化しないで維持される、または、少なくとも、変化しない、言い換えれば、同じ、または、ほとんど同じ送信電力は、多くの狭帯域ビーム（ｎａｒｒｏｗ  ｂｅａｍ）に集中する。
【００６３】
ステップ１３３０、ステップ１３２０では、特定のステップサイズで繰り返されてもよい。例えば、ＨＰＢＷは、ハードウエアの特定のパラメータで実行される、最も小さい可能なＨＰＢＷまでのそれぞれのステップで３ｄＢとしての０．５と１０との間、１と６との間、または、２と３との間の値によって減少する。最も小さい可能なＨＰＢＷは、アンテナの数、そして／あるいは、開口の配列を基づいていてもよく、または、依存していてもよい。このように基地局は、その次のステップでユーザ機器の位置を繰り返し決定するように構成されている。基地局は、第１のステップに続く第２のステップで粗位置情報としての第１のステップで決定されたユーザ機器の良好位置情報を用いるように構成されている。基地局は、位置決め信号に、ビームフォーミング技術を用いることを指示するように構成されている。基地局は、第１のステップで用いられる第１のビームの幅と比較して、第２のステップで用いられる第２のビームの幅を減少させるように構成されていてもよい。
【００６４】
図８には、図３で図解されたｅＮＢとしての基地局によって送信されてもよいビーム、または、ローブ（ｌｏｂｅ）１３４の概略上面図が示されている。ビーム１３４の方向１３６に沿った最大電力は、送信されてもよい。ボーダ（ｂｏｒｄｅｒｓ）１３８ａ、および１３８ｂは、電力が半分になる領域、例えば、最大電力の５０％に対応する−３ｄＢを指し示していてもよい。ボーダ１３８ａ、および１３８ｂとの間の角度は、ＨＰＢＷを指し示していてもよい。ＨＰＢＷは、ビーム１３４のピークの実効放射電力を参照したときに、ビーム１３４の電力が半分になる点の間の角度であってもよい。ビーム幅は、角度を限定しない例、そして／あるいは、水平面によって表されていてもよい、しかし、方位角、または、それらのものと関連してもよい。
【００６５】
ここに提供された記述は、送信される位置決め信号に沿った１つの方向と関連し、実施の形態は、少なくとも、第１の経路、および第２の経路、言い換えれば、第１の方向、および第２の方向に沿ったユーザ機器に向かう位置決め信号の送信を決定するように構成された基地局を提供する。基地局は、基地局、およびユーザ機器との間の少なくとも、第１の経路の第１の到来方向、および第２の経路の第２の到来方向と関連する情報を得るとともに、第１の方向、および第２の方向に位置決め信号を送信するように構成されていてもよい。図３を参照すると、位置決め信号１２４は、少なくとも、第１、および第２のビームを用いて送信されていてもよく、それぞれのビームは、基地局ｅＮＢ、およびユーザ機器ＵＥとの間の経路と協働する。
【００６６】
言い換えれば、多数の経路の到来方向（ＤｏＡ）が知られている場合には、例えば、視界線経路、および強い非視界線経路では、多数のビームは、多数の感知された強い経路の方向に設計されてもよい。強い経路は、特定の電力閾値を上回るチャンネル品質と、を備え、そして／あるいは、特定の経路損失閾値以下の経路損失と、を備えている。あるいは、他の閾値の値が用いられてもよい。経路は、方法１０１０に関して記述されたＳＲＳ信号に反応するようにチャンネルを推定している間に、限定しない例によって決定されてもよい。これは、位置決めの精度を改良することができるユーザ機器で多数の仮定の基準信号時間差（Ｒｅｆｅｒｅｎｃｅ  Ｓｉｇｎａｌ  Ｔｉｍｅ  Ｄｉｆｆｅｒｅｎｃｅ）（ＲＳＴＤ）測定を可能にするかもしれない。多数の仮定のＲＳＴＤ測定は、それで理解される、これに加えて、ＰＲＳシーケンスの受信と相関する最も大きいピークは繰り返され、また、他のピークは、ユーザ機器から基地局まで繰り返される。多数の仮定のＲＳＴＤ測定は、例えば、［４］に記述されている。多数のピークの報告は、異なる到着の経路と関連する情報であってもよい。基地局は、そのうえ、経路に基づいて位置を決定するように構成されていてもよい。あるいは、基地局の位置を使うときには、ユーザ機器は、例えば、それ自身に関する情報を提供するかもしれない。
【００６７】
図９には、図１に図示された無線通信ネットワークを基礎にしていてもよい無線通信ネットワーク９００の概略ブロック図が示されており、そして／あるいは、その拡張されたバージョンであってよい。無線通信ネットワーク９００は、少なくとも、第１、および第２、そして、おそらく、さらに多くの基地局ｅＮＢ1からｅＮＢ7と、を備えており、それぞれの基地局は、無線通信ネットワークセル１００1から１００7ト、を備えている。ユーザ機器ＵＥ1は、１つ以上の基地局、例えば、３つの局、ｅＮＢ2、ｅＮＢ4、およびｅＮＢ5の間の送信区域に配置されていてもよい。送信区域内では、複数の基地局のうちの１つは、ユーザ機器ＵＥ1を作動させて、または、ユーザ機器ＵＥ1に貢献してもよい。しかし、他の基地局は、送信信号をＵＥ1に送信することが可能である。実施の形態によれば、セルのうちの大半は、他のセル、または、基地局で囲まれており、本質的に、それぞれの位置、または、セルのそれぞれの位置で、位置決め信号は、少なくとも３つの異なる基地局から受信されてもよいように、近隣の基地局は、大きな区域のセルに到達することが可能である。あるいは、例えば、１つ、または、２つの基地局から受信された信号が実行されてもよい送信パラメータを決定する方法を用いるときは、ユーザ機器ＵＥ1は、送信区域の外に配置されてもよい。
【００６８】
これに加えて、ユーザ機器ＵＥ1の方向に、それぞれの位置決め信号を送信するように
、ユーザ機器ＵＥに貢献している基地局ｅＮＢ4に、少なくとも１つ、好ましくは、少なくとも２つのさらなる基地局ｅＮＢ2、そして／あるいは、ｅＮＢ5は、範囲に含まれていてもよく、言い換えれば、位置決め信号１２４2、１２４4-1、および１２４5は、ユーザ機器ＵＥ1に、異なる時間に到着してもよい。異なる時間に到着するにも係わらず、位置決め信号１２４2、１２４4-1、および１２４5の受信時間は、部分的に重なっていてもよい。これは、ＴＤｏＡを決定することを可能にするかもしれず、特に、ダウンリンクは、ユーザ機器ＵＥ1で、ＴＤｏＡを観測する。しかしながら、ユーザ機器ＵＥ1は、それぞれの位置決め信号１２４2、１２４4-1、および１２４5のための受信状態のパラメータを決定してもよく、そして、ｅＮＢ4のような貢献している基地局に受信状態のパラメータを報告する。それぞれの位置決め信号１２４2、１２４4-1、および１２４5は、シーケンスのプールの外の異なるシーケンスと、を備えている。例えば、プールは、互いに異なる４、５、または、６、または、異なる数のシーケンスと、を備えていてもよい。それぞれの基地局は、ＵＥ1で要素を区別することができるように、異なるシーケンスを用いるように構成されていてもよい。ＵＥ1は、このように、それぞれの位置決め信号１２４2、１２４4-1、および１２４5を特定の基地局ｅＮＢ2、ｅＮＢ4、およびｅＮＢ5のそれぞれに割り当て、そして、到着時間が異なるように決定してもよく、そして、貢献している基地局にそれらの値を報告してもよく、言い換えれば、信号１２６を用いて、受信状態のパラメータを送信してもよい。
【００６９】
貢献している基地局ｅＮＢ4は、無線通信ネットワーク９００の中の他の基地局に、ユーザ機器ＵＥ1と関連する粗位置情報を知らせるように構成されていてもよい。例えば、基地局ｅＮＢ4は、他の基地局ｅＮＢ2、そして／あるいは、ｅＮＢ5と直接通信してもよい。あるいは、または、これに加えて、オプションとして、コントローラ１３２と、を備えていてもよいロケーション・サーバ１４２は、基地局ｅＮＢ1からｅＮＢ7と通信するように構成されていてもよい。基地局ｅＮＢ4は、ロケーション・サーバ１４２に、ユーザ機器ＵＥ1の粗位置情報を知らせるように構成されていてもよい。ｅＮＢ2、そして／あるいは、ｅＮＢ5は、ロケーション・サーバ１４２からの粗位置情報と関連する情報を受信するように構成されていてもよく、言い換えれば、それぞれの、ｅＮＢ2、ｅＮＢ4、およびｅＮＢ5、そして、おそらく、他の基地局は、粗位置情報についての知識を持つことができる。基地局ｅＮＢ2、ｅＮＢ4、およびｅＮＢ5は、ユーザ機器ＵＥ1の方向に、位置決め信号を導いてもよく、言い換えれば、基地局ｅＮＢ2、ｅＮＢ4、およびｅＮＢ5は、位置決め信号を送信するために、協調的なビームを形成する、または、調整ビームフォーミング技術を協調的に用いることを実行するように構成されていてもよい。３つの基地局に関して説明したが、協調的に用いられるビームフォーミングは、２つの数、３つの数、４つの数、より多くの基地局がユーザ機器ＵＥ1に向かう方向に送信する位置決め信号によって説明されてもよい。
【００７０】
第２のユーザ機器ＵＥ2は、例えば、ｅＮＢ3、ｅＮＢ4によって、無線通信ネットワークの中で作動、または、貢献してもよい。基地局ｅＮＢ3、およびｅＮＢ4は、無線通信ネットワーク９００の中のユーザ機器ＵＥ2に向かう方向に位置決め信号１２４3、および１２４4-2を送信するように構成されていてもよい。位置決め信号１２４3、および１２４4-2は、互いに異なるシーケンスと、を備えていてもよい。基地局ｅＮＢ4は、位置決め信号１２４3、および１２４4-2を送信するときに、同じシーケンスを使うように構成されていてもよい。このように、基地局ｅＮＢ4は、ユーザ機器ＵＥ2の方向の複数のシーケンスの中の同じシーケンスと、を備えるように、位置決め信号１２４4-2と、を備えるように構成されていてもよい。これは、同じ、または、比較可能な信号としての位置決め信号１２４4-1、および１２４4-2を生成すること、そして／あるいは、ＵＥ1に向かう方向の信号、およびＵＥ2に向かう方向の同じ信号を送信することが可能になる。ビームの外部の他の方向に沿って、信号電力は、基地局によって、最大５０％、最大４０％、最大３０％で生成されてもよい。例えば、位置決め信号１２４4-1の送信の低電力側のローブは、異なるＵＥに当たってもよく、しかし、少なくとも、高電力側のローブ、または、すべての高電力側のローブが形成され、それによって、ＵＥ2に向かう方向を排除する。これは、セル内部の干渉を低下させることを可能にするかもしれない。
【００７１】
あるいは、異なるシーケンスを用いると、複数のｅＮＢsのうちの少なくとも１つは、異なる基地局からの同じシーケンスを受信するＵＥ1、または、ＵＥ2のように同等のシーケンスを用いるように構成されている。これは、時間を分離することによって行われ、言い換えれば、シーケンスは、時間の第１の例、または、スロットで、ｅＮＢ4のように、第１の基地局から受信するように構成されており、そして、第２のスロットの中で、ｅＮＢ2、または、ｅＮＢ5のような第２の基地局から受信するように構成されている。あるいは、または、これに加えて、時間の分離のような、言い換えれば、異なるスロットの使用は、異なるシーケンスの送信のためにも用いられてもよい。これは、ＵＥで、ＳＮＲ、そして／あるいは、ＳＩＮＲをさらに増加させることも可能にするかもしれない。これは、基地局ｅＮＢ4は、ユーザ機器ＵＥ1に向かう方向に異なる位置決め信号が送信されない間に、ユーザ機器ＵＥ2の方向に異なる位置決め信号１３４4-2を任意に送信するように構成されていると理解される。
【００７２】
言い換えれば、ｅＮＢ1、そして／あるいは、ｅＮＢ2を参照するとき、ビームが形成するＰＲＳ信号は、それぞれのＵＥによって受信されてもよく、そして、貢献している基地局、および、おそらく基地局の周囲からの複数のＬｏＳのために、到着時間（ＴｏＡ）、そして／あるいは、到着時間差（ＴＤｏＡ）の測定が実行される。もし、ユーザ機器が
多数のアンテナを装備していれば、ＵＥは、効果的なビームの経路構成要素が形成するビームフォーミングされていないシグナリングよりも少数のマルチパス（ｍｕｌｔｉｐａｔｈ）から、高い確率で損害を被るチャンネルの方位、そして／あるいは、仰角の観点から到来方向(ＤｏＡ)を推定してもよい。測定に基づいて、いわゆる、ＲＳＴＤ値（基準信号時間差）、および任意に対応するＤｏＡ値は、支配的な、あるいは、任意の複数の伝播経路のために得られてもよい。ＴｏＡ、ＬＴＥでＲＳＴＤと呼ばれるＴＤｏＡ、そして／あるいは、ＤｏＡのそれぞれの推定は、貢献している基地局、または、ロケーション・サーバに送信されてもよい。ロケーション・サーバは、ＵＥに向かう方向、または、直接、ＵＥの位置を計算するために、それぞれの経路は、設定されたＴｏＡ／ＴＤｏＡ、および、おそらく、ＤｏＡ角度によって記述される３Ｄチャンネルモードを適用してもよい。
【００７３】
さらに他の言葉で言い換えると、貢献している基地局は、例えば、直接、または、ロケーション・サーバを経由して、ユーザ機器に向かう方向、または、基地局の周囲のＵＥの位置情報を与えてもよい。より高い正確さを有する位置は、その時に、ロケーション・サーバで計算されてもよい。オプションの可能性として、ビームフォーミングベクトルの改良は、先に記述された手順から強化された位置推定に基づいて行われてもよい。さらなる正確な位置は知られており、より良いビームフォーマは設計されていてもよく、より高いＰＲＳのＳＮＲを受信すると、見返りに、より正確な位置の決定を可能にする。さらなる任意のステップは、例えば、ロケーション・サーバ、または、ＵＥのようなユーザの位置を得てもよい他の基地局を明確にすることができる。異なるＰＲＳシーケンスの場合には、例えば、すべてに含まれた基地局からは、ＵＥによって受信され、すべての基地局は、ビームが形成したそれぞれのＰＲＳシーケンスのＳＮＲの受信を増加させるために、目標ＵＥに向かうＰＲＳを適用することができる。現在は、［３］に記述されているように、６の再利用が可能である。互いに交差しない、ＰＲＳシーケンスの設計のために、調整されたビームフォーミングは、ＵＥで受信されたＰＲＳシーケンスのＳＩＮＲをさらに増加させるために用いられてもよい。例えば、スロット１では、他の基地局が、ＵＥで、ＰＲＳ信号のＳＮＲを減少させるために、ＰＲＳ信号を形成するビームを用いている間に、基地局１は、ＳＮＲを増加させるためにＰＲＳシーケンスを形成するビームを送信してもよく、言い換えれば、ＵＥの方向で形成されるビームは０でなければならない。図９を参照すると、基地局ｅＮＢ1は、ＵＥ1、そして／あるいは、ＵＥ2のような他のユーザ機器に送信することを除外している間に、ユーザ機器ＵＥ3に貢献してもよく、そして、ユーザ機器ＵＥ3の方向では、位置決め信号１２３1を送信するように構成されていてもよい。次の時間スロットでは、これは、次の基地局に移される。同じＰＲＳシーケンスの場合には、いくつかの基地局が用いられ、基地局に沿った調整的なビームフォーミングは、先の記述に類似して行われることができる。例えば、他の基地局が、ＵＥで、ＰＲＳ信号のＳＮＲを減少させるために、ＰＲＳビームを形成するビームを用いている間に、基地局１は、ＳＮＲを増加させるためにＰＲＳシーケンス形成するビームを送信してもよく、言い換えれば、ＵＥの方向で形成されるビームは０でなければならない。
【００７４】
最新版では、例えば、より正確に、ユーザ機器に向いている方向、または、ＵＥ位置情報は、基地局の周囲の間で、与えられてもよく、それは、先のステップで用いられたＰＲＳシーケンスを形成したビームに基づいている。
【００７５】
ここに記述された実施の形態は、ユーザ機器のＰＲＳシーケンスのＳＮＲの受信と関連していてもよく、そして、局地化の正確性を改良することが可能になるかもしれない。他のユーザ機器のために、例えば、ビームを形成している間に、他のユーザ機器の局地化が考慮されないときには、ＳＮＲは減少するかもしれない。したがって、それは、例えば、緊急呼び出しに用いられてもよい。緊急呼び出しの場合には、［５］に記述するように、位置は、ネットワークセルによって得られなければならない。記述された方法、そして／あるいは、基地局は、緊急呼び出しのために、正確な位置決めを増加させるように用いられてもよい。実施の形態は、これに加えて、または、代わりとして、時間、周波数、およびコード資源の再利用を増加させる手助けにしてもよい。
【００７６】
あるいは、いくつかの実施の形態は、基地局は応答信号１２６としての応答信号を受信するように構成される方法で記述され、あるいは、または、これに加えて、ネットワークの異なるノードは、例えば、ロケーション・サーバ１４２のようなロケーション・サーバが、応答信号を受信するように構成されていてもよい。図３に関連して記述された実施の形態は、図１０に関連して図示された制御プレーン位置決めと関連していてもよい。制御プレーンの実施には、最も一般的には、緊急サービスが用いられ、位置決めメッセージは、シグナリング接続上のネットワークとＵＥとの間で交換される。ＬＴＥでは、制御プレーン位置決めは、図１０のシナリオを適用してセービング・モバイル・ロケーション・センタ（Ｓｅｒｖｉｎｇ  Ｍｏｂｉｌｅ  Ｌｏｃａｔｉｏｎ  Ｃｅｎｔｅｒ）（Ｅ−ＳＭＬＣ）からのＬＬＰメッセージからノン・アクセス・スタラタム（Ｎｏｎ−Ａｃｃｅｓｓ  Ｓｔｒａｔｕｍ）（ＮＡＳ）を用いるダウンリンク送信メッセージへのダウンリンク送信メッセージが転送される、モビリティ管理エンティティ（Ｍｏｂｉｌｉｔｙ  Ｍａｎａｇｅｍｅｎｔ  Ｅｎｔｉｔｙ）（ＭＭＥ）によって可能になる。制御プレーン位置決めは、早く、信頼できて、安全である。
【００７７】
ＵＥからロケーション・サーバに送信された、これに加えて、または、あるいは、基地局に送信された応答１２６、または、類似するメッセージは、ユーザプレーン位置決めと関連していてもよい。このような場合には、いくつかの、または、すべての計算は、計算サーバによって実行されてもよい。
【００７８】
このように、基地局は、位置決め信号に関連する信号に基づく良好位置情報を決定することが可能なように、位置決め信号に適合するように構成されていてもよい。このようなデータは、受信感度のパラメータと、言い換えれば、ＵＥで応答信号の受信感度を指し示すデータと、を備えていてもよい。データ、そして／あるいは、パラメータは、ＵＥから基地局、そして／あるいは、ロケーション・サーバのような、異なるノードに送信された、少なくとも１つの応答信号の部分であってもよい。良好位置情報の決定は、基地局、または、他のノードに配置されている、計算機によって得られてもよい。制御プレーンの位置決めのために、基地局は、ユーザ機器からの応答信号を受信するように構成されていてもよく、応答信号は、位置決め信号に関連するデータと、備えていてもよく、そして、位置決め信号の受信感度のパラメータを指し示していてよい。基地局は、良好位置情報を決定するために、シーケンスの受信感度のパラメータを計算機に提供するように構成されていてもよい。
【００７９】
いくつかの実施の態様は、装置の文脈（ｃｏｎｔｅｘｔ）の中で述べられているが、これらの実施の態様は、方法に一致する記述にも表されていることは明らかであり、ブロック、または、装置は、方法ステップ、または、方法ステップの特徴と一致している。類似的に、実施の態様は、一致するブロック、または、アイテムの記述、または、一致する装置の特徴としても表された方法の文脈の中で述べられている。
【００８０】
特定の実施例の必要性によると、発明の実施の形態は、ディジタル格納メディアを用いて、実施することもできる。実施例は、ディジタル格納メディア、例えば、それぞれの方法が実行されるプログラム可能なコンピュータと協働する、または、協働することができる、電気的に読み取り可能な制御信号がその中に格納されるフロッピーディスク、ＤＶＤ、ＣＤ、ＲＯＭ、ＰＲＯＭ、ＥＰＲＯＭ、ＥＥＰＲＯＭ、または、ＦＬＡＳＨメモリを用いて実行することが可能である。
【００８１】
発明に係るいくつかの実施の態様は、ここに述べられた１つの方法が実行されるプログラム可能なコンピュータシステムと協働することができる読み取り可能な制御信号を有するデータキャリアと、を備えている。
【００８２】
一般的に、本発明の実施の形態は、プログラムコードを有するコンピュータプログラム製品として実施することが可能であり、コンピュータプログラム製品がコンピュータで実行されているときには、プログラムコードは、１つの方法を実行するために、プログラムコードは作動している。プログラムコードは、例えば、機械で読み取り可能なキャリアに格納されている。
【００８３】
他の実施の形態では、機械で読み取り可能なキャリアに格納された、ここに記述された方法のうちの１つを実行するためのコンピュータプログラムと、を備えている。
【００８４】
他の言い方をすれば、発明の実施の形態の方法は、したがって、コンピュータプログラムがコンピュータで動いているときには、ここに記述された方法のうちの１つを実行するためのプログラムコードを有するコンピュータプログラムである。
【００８５】
発明のさらなる実施の形態の方法は、したがって、データキャリア、または、ディジタル格納メディア、または、コンピュータ読み取り可能メディアは、そのうちに記録される、ここに記述された方法のうちの１つを実行するためのコンピュータプログラムと、を備えている。
【００８６】
発明のさらなる実施の形態の方法は、したがって、ここに記述された方法のうちの１つを実行するためのコンピュータプログラムを表す、信号のデータストリーム、または、シーケンスである。信号のデータストリーム、または、シーケンスは、例えば、インターネットを経由するような、例えば、データ通信接続を経由して送信されるように構成されていてもよい。
【００８７】
さらなる実施の形態は、処理手段、例えば、ここに記述された方法のうちの１つを実行するように構成された、または、適合する、コンピュータ、または、プログラム可能な論理装置と、を備えている。
【００８８】
さらなる実施の形態は、ここに記述された方法のうちの１つを実行するためのプログラムがインストールされるコンピュータと、を備えている。
【００８９】
いくつかの実施の態様では、プログラム可能な論理装置（例えば、フィールド・プログラブル・ゲート・アレイ（ｆｉｅｌｄ  ｐｒｏｇｒａｍｍａｂｌｅ  ｇａｔｅ  ａｒｒａｙ））は、いくつか、または、すべてのここに述べられた方法を実行するように用いられるように構成されていてもよい。いくつかの実施の態様では、フィールド・プログラブル・ゲート・アレイは、ここに述べられた方法のうちの１つを実行するために、マイクロプロセッサ（ｍｉｃｒｏｐｒｏｃｅｓｓｏｒ）と協働してもよい。一般的には、方法は、どんなハードウエア機器によっても、実施されることが好ましい。
【００９０】
以上に記述された実施の形態は、本発明の原理のための単なる具体例である。配置、および詳細の変更、限定は、他の当業者によって明らかにされるだろう。これは、意思であり、したがって、特許請求項の範囲によって限定されるべきであり、実施の形態の記述、および説明の方法によって表された特別な詳細によって限定されるべきではない。
【００９１】
（引用）
［１］  ３ＧＰＰ，  “ＬＴＥ  Ｐｏｓｉｔｉｏｎｉｎｇ  Ｐｒｏｔｏｃｏｌ  （ＬＰＰ）  (Ｒｅｌｅａｓｅ  １３)“，  ３ｒｄ  Ｇｅｎｅｒａｔｉｏｎ  Ｐａｒｔｎｅｒｓｈｉｐ  Ｐｒｏｊｅｃｔ，  Ｍａｒ．  ２０１６  Ｓｅｃｏｎｄ  ｒｅｆｅｒｅｎｃｅ．
［２］  ３ＧＰＰ，  “ＬＴＥ  Ｐｏｓｉｔｉｏｎｉｎｇ  Ｐｒｏｔｏｃｏｌ  Ａ  （ＬＰＰａ）  （Ｒｅｌｅａｓｅ  １３）“，３ｒｄ  Ｇｅｎｅｒａｔｉｏｎ  Ｐａｒｔｎｅｒｓｈｉｐ  Ｐｒｏｊｅｃｔ，Ｍａｒ．２０１６．
［３］  ［３ＧＰＰ１５−３７８５７］  ３ＧＰＰ，“Ｓｔｕｄｙ  ｏｎ  ｉｎｄｏｏｒ  ｐｏｓｉｔｉｏｎｉｎｇ  ｅｎｈａｎｃｅｍｅｎｔｓ  ｆｏｒ  ＵＴＲＡ  ａｎｄ  ＬＴＥ“，３ｒｄ  Ｇｅｎｅｒａｔｉｏｎ  Ｐａｒｔｎｅｒｓｈｉｐ  Ｐｒｏｊｅｃｔ，Ｄｅｃ．２０１５．
［４］  ＥＥＮＡ，“ＥＥＮＡ  Ｐｏｓｉｔｉｏｎ  Ｐａｐｅｒ  ｏｎ  ｔｈｅ  ｐｒｏｖｉｓｉｏｎ  ｏｆ  ｍｏｂｉｌｅ  ｃａｌｌｅｒ−ｌｏｃａｔｉｏｎ  ｉｎｆｏｒｍａｔｉｏｎ  ｉｎ  ｔｈｅ  ｃｏｎｔｅｘｔ  ｏｆ  ｃａｌｌｓ  ｔｏ  ｔｈｅ  Ｅｕｒｏｐｅａｎ  ｅｍｅｒｇｅｎｃｙ  ｎｕｍｂｅｒ  １１２"，Ｅｕｒｏｐｅａｎ  Ｅｍｅｒｇｅｎｃｙ  Ｎｕｍｂｅｒ  Ａｓｓｏｃｉａｔｉｏｎ，Ｄｅｃ．２０１０．
［５］３ＧＰＰ，“Ｓｔｕｄｙ  ｏｎ  ｉｎｄｏｏｒ  ｐｏｓｉｔｉｏｎｉｎｇ  ｅｎｈａｎｃｅｍｅｎｔｓ  ｆｏｒ  ＵＴＲＡ  ａｎｄ  ＬＴＥ“，３ｒｄ  Ｇｅｎｅｒａｔｉｏｎ  Ｐａｒｔｎｅｒｓｈｉｐ  Ｐｒｏｊｅｃｔ，Ｄｅｃ．２０１５．
［６］３ＧＰＰ，"Ｐｈｙｓｉｃａｌ  Ｃｈａｎｎｅｌｓ  ａｎｄ  Ｍｏｄｕｌａｔｉｏｎ"，３ｒｄ  Ｇｅｎｅｒａｔｉｏｎ  Ｐａｒｔｎｅｒｓｈｉｐ  Ｐｒｏｊｅｃｔ，ｖｏｌ．Ｖ１３．０．０，Ｊａｎｕａｒｙ．２０１６
【図１】
2020508020.tif 000003
【図２ａ】
2020508020.tif 000004
【図２ｂ】
2020508020.tif 000005
【図３】
2020508020.tif 000006
【図４】
2020508020.tif 000007
【図５】
2020508020.tif 000008
【図６ａ】
2020508020.tif 000009
【図６ｂ】
2020508020.tif 000010
【図７】
2020508020.tif 000011
【図８】
2020508020.tif 000012
【図９】
2020508020.tif 000013
【図１０】
2020508020.tif 000014
【国際調査報告】
2020508020.tif 000015
2020508020.tif 000016
2020508020.tif 000017